(57)【要約】【課題】簡単な構成により２点間の電位差を安定して監視する。【解決手段】VDCa点とVDCb点との間の電位差を監視するための電圧監視回路において、３端子レギュレータICのカソード端子Kが高電位側に接続され、アノード端子Aが低電位側に接続されるように、フォトカプラPCのLEDと３端子レギュレータICとを直列接続して配置し、直列接続された抵抗R1,R2をLEDおよび３端子レギュレータICに対して並列接続し、抵抗R1,R2の間のP2点と３端子レギュレータICのレファレンス端子REFとを接続し、VDCa点とVDCb点との電位差が所定値未満の時、カソード端子Kとアノード端子Aとの間にかかる電圧が３端子レギュレータICのレギュレーション電圧未満になり、その電位差が前記所定値に到達した時、カソード端子Kとアノード端子Aとの間にかかる電圧が３端子レギュレータICのレギュレーション電圧に到達するように、３端子レギュレータICのレギュレーション電圧を設定した。【選択図】図２
2007170881.tif 000002
【特許請求の範囲】
【請求項１】
２点間の電位差を監視するための電圧監視回路において、３端子レギュレータのカソード端子が高電位側に接続され、３端子レギュレータのアノード端子が低電位側に接続されるように、電位差の監視対象の２点のうちの一方の点と他方の点とを結ぶライン上にフォトカプラのＬＥＤと３端子レギュレータとを直列接続して配置し、直列接続された２つの抵抗をフォトカプラのＬＥＤおよび３端子レギュレータに対して並列接続し、その２つの抵抗の間の点と３端子レギュレータのレファレンス端子とを接続し、監視対象の２点間の電位差が所定値未満の時には、３端子レギュレータのカソード端子とアノード端子との間にかかる電圧が３端子レギュレータのレギュレーション電圧未満になって、フォトカプラのＬＥＤに電流が流れず、監視対象の２点間の電位差が前記所定値に到達した時には、３端子レギュレータのカソード端子とアノード端子との間にかかる電圧が３端子レギュレータのレギュレーション電圧に到達し、フォトカプラのＬＥＤに電流が流れるように、３端子レギュレータのレギュレーション電圧を設定したことを特徴とする電圧監視回路。
【請求項２】
定電流ダイオードのカソード端子が高電位側に接続され、定電流ダイオードのアノード端子が低電位側に接続されるように、電位差の監視対象の２点のうちの一方の点と他方の点とを結ぶライン上に定電流ダイオードとフォトカプラのＬＥＤと３端子レギュレータとを直列接続して配置したことを特徴とする請求項１に記載の電圧監視回路。
【請求項３】
電位差の監視対象の２点と、フォトカプラのＬＥＤおよび３端子レギュレータとの間に整流回路を配置したことを特徴とする請求項１又は２に記載の電圧監視回路。
【請求項４】
ＩＧＢＴのコレクタ電圧またはゲート電圧を監視するために請求項１〜３のいずれか一項に記載された電圧監視回路が適用されたゲートドライバー回路。
【請求項５】
負荷にかかる電圧を監視するために請求項１〜３のいずれか一項に記載された電圧監視回路が適用されたスイッチング電源回路。
【発明の詳細な説明】
【技術分野】
【０００１】
本発明は、２点間の電位差を監視するための電圧監視回路およびそれが適用されたゲートドライバー回路並びにスイッチング電源回路に関し、特には、簡単な構成により２点間の電位差を安定して監視することができる電圧監視回路およびそれが適用されたゲートドライバー回路並びにスイッチング電源回路に関する。
【０００２】
詳細には、本発明は、監視対象の電圧以外に別個の電圧を設ける必要なく、３端子レギュレータの代わりにゼナーダイオードが用いられる場合よりも安定して２点間の電位差を監視することができる電圧監視回路およびそれが適用されたゲートドライバー回路並びにスイッチング電源回路に関する。
【背景技術】
【０００３】
従来から、２点間の電位差を監視するための電圧検出回路（電圧監視回路）が知られている。この種の電圧検出回路（電圧監視回路）の例としては、例えば特開平７−４６８３５号公報に記載されたものがある。特開平７−４６８３５号公報では、電圧検出回路（電圧監視回路）が絶縁形スイッチングレギュレータに適用されている。
【０００４】
図９は特開平７−４６８３５号公報の図３に相当する図、図１０は特開平７−４６８３５号公報の図１に相当する図である。図９において、１は絶縁形スイッチングレギュレータを示しており、２は絶縁形トランスを示しており、３は１次側の主巻線を示している。４はＭＯＳＦＥＴを示しており、５は２次巻線を示しており、６はダイオードを示しており、７はコンデンサを示しており、８は整流部を示しており、９はフェライトビーズを示している。１０は制御回路用１次巻線を示しており、１１は制御回路を示しており、１２は整流部を示しており、１３は電圧検出回路を示している。１４はダイオードを示しており、１５はコンデンサを示しており、１６は直流電源回路を示しており、１７は負荷を示している。
【０００５】
また、図１０において、２１はスイッチング電源装置を示しており、２２は直流電源回路を示しており、２３は電気的負荷を示しており、２４は絶縁形スイッチングレギュレータを示している。２５は絶縁形トランスを示しており、２６は１次側の主巻線を示しており、２７はＭＯＳＦＥＴを示しており、２８は２次巻線を示しており、２９はダイオードを示している。３０はコンデンサを示しており、３１は整流部を示しており、３２はフェライトビーズを示しており、３３は制御回路用１次巻線を示しており、３４は制御回路を示している。３５は整流部を示しており、３６は電圧検出回路を示しており、３７はダイオードを示しており、３８はコンデンサを示しており、３９はフェライトビーズを示している。
【０００６】
特開平７−４６８３５号公報では、絶縁形スイッチングレギュレータに適用されている電圧検出回路（電圧監視回路）１３，３６について詳細に記載されていない。
【０００７】
また、従来から、２点間の電位差を監視するための電圧検出手段（電圧監視回路）として、例えば特開平９−２３３８１０号公報に記載されたものが知られている。特開平９−２３３８１０号公報では、電圧検出手段（電圧監視回路）がスイッチング電源回路に適用されている。
【０００８】
図１１は特開平９−２３３８１０号公報の図４に相当する図、図１２は特開平９−２３３８１０号公報の図１に相当する図である。図１１および図１２において、１１２は電源トランスを示しており、１１２ａは１次コイルを示しており、１１２ｂは２次コイルを示しており、１１４は端子を示している。１１６はスイッチングトランジスタを示しており、１１８はスイッチングレギュレータを示しており、１２０は整流平滑回路を示しており、１２４は負荷を示しており、１３０はシリーズレギュレータを示しており、１３２はトランジスタを示している。１３４は電圧検出手段（電圧監視回路）を示しており、１３４ａは抵抗器を示しており、１３４ｂは抵抗器を示しており、１３６は基準電圧を示しており、１３８は差動アンプを示している。１４１はスイッチング素子を示しており、１４２は基準電圧手段を示しており、１４２ａは抵抗器を示しており、１４２ｂは抵抗器を示しており、１４２ｃはコンデンサを示しており、１４４はオペアンプを示しており、１４６はローパスフィルタを示している。
【０００９】
図１１に示すスイッチング電源回路では、負荷１２４側の出力電圧が電圧検出手段（電圧監視回路）１３４によって検出され、その検出電圧が基準電圧１３６と共に差動アンプ１３８に供給され、差動出力がトランジスタ１３２に対する制御電圧として帰還され、負荷１２４に印加される電圧の変動が最小となるようにトランジスタ１３２が制御されている。
【００１０】
ところで、図１１に示すスイッチング電源回路では、上述したように、出力電圧を検出（監視）するために、基準電圧１３６が差動アンプ１３８に供給されている。そのため、図１１に示すスイッチング電源回路では、出力電圧とは別個に差動アンプ１３８用の基準電圧１３６を設けなければ、出力電圧を検出（監視）することができない。つまり、図１１に示すスイッチング電源回路では、検出（監視）対象の電圧以外に別個の電圧を設けることなく、検出（監視）対象の電圧を安定して監視することができない。
【００１１】
また、図１２に示すスイッチング電源回路においても、＋１２Ｖの電圧および−１２Ｖの電圧がオペアンプ１４４に供給されている。そのため、図１２に示すスイッチング電源回路では、出力電圧とは別個にオペアンプ１４４用の電源電圧（＋１２Ｖ、−１２Ｖ）を設けなければ、出力電圧を検出（監視）することができない。つまり、図１２に示すスイッチング電源回路によっても、検出（監視）対象の電圧以外に別個の電圧を設けることなく、検出（監視）対象の電圧を安定して監視することができない。
【００１２】
また、従来から、電圧を監視するための電圧監視回路として、例えば特開２００５−６４６４号公報に記載されたものが知られている。特開２００５−６４６４号公報では、電圧監視回路がＩＧＢＴのコレクタ電圧およびゲート電圧を監視するために用いられている。
【００１３】
図１３は特開２００５−６４６４号公報の図１に相当する図である。図１３において、２０１はＩＧＢＴを示しており、２０２はソフト遮断指令回路を示しており、２０３は駆動回路を示している。図１３に示す電圧監視回路では、ＩＧＢＴ２０１のコレクタ電圧が比較器ＣＯＭＰ１によって監視され、ＩＧＢＴ２０１のゲート電圧が比較器ＣＯＭＰ２によって監視されている。
【００１４】
ところで、図１３に示す電圧監視回路では、ＩＧＢＴ２０１のコレクタ電圧を監視するために、基準電圧Ｖ１が比較器ＣＯＭＰ１に供給されている。そのため、図１３に示す電圧監視回路では、ＩＧＢＴ２０１のコレクタ端子に供給される電圧（Ｖｃｃ）とは別個に比較器ＣＯＭＰ１用の基準電圧Ｖ１を設けなければ、ＩＧＢＴ２０１のコレクタ端子に供給される電圧（Ｖｃｃ）を監視することができない。
【００１５】
同様に、図１３に示す電圧監視回路では、ＩＧＢＴ２０１のゲート電圧を監視するために、基準電圧Ｖ２が比較器ＣＯＭＰ２に供給されている。そのため、図１３に示す電圧監視回路では、制御回路２０３からＩＧＢＴ２０１のゲート端子に供給される電圧とは別個に比較器ＣＯＭＰ２用の基準電圧Ｖ２を設けなければ、制御回路２０３からＩＧＢＴ２０１のゲート端子に供給される電圧（Ｖｃｃ）を監視することができない。
【００１６】
つまり、図１３に示すスイッチング電源回路では、監視対象の電圧以外に別個の電圧を設けることなく、監視対象の電圧を安定して監視することができない。
【００１７】
【特許文献１】特開平７−４６８３５号公報
【特許文献２】特開平９−２３３８１０号公報
【特許文献３】特開２００５−６４６４号公報
【発明の開示】
【発明が解決しようとする課題】
【００１８】
前記問題点に鑑み、簡単な構成により２点間の電位差を安定して監視することができる電圧監視回路およびそれが適用されたゲートドライバー回路並びにスイッチング電源回路を提供することを目的とする。
【００１９】
詳細には、本発明は、監視対象の電圧以外に別個の電圧を設ける必要なく、３端子レギュレータの代わりにゼナーダイオードが用いられる場合よりも安定して２点間の電位差を監視することができる電圧監視回路およびそれが適用されたゲートドライバー回路並びにスイッチング電源回路を提供することを目的とする。
【課題を解決するための手段】
【００２０】
請求項１に記載の発明によれば、２点間の電位差を監視するための電圧監視回路において、３端子レギュレータのカソード端子が高電位側に接続され、３端子レギュレータのアノード端子が低電位側に接続されるように、電位差の監視対象の２点のうちの一方の点と他方の点とを結ぶライン上にフォトカプラのＬＥＤと３端子レギュレータとを直列接続して配置し、直列接続された２つの抵抗をフォトカプラのＬＥＤおよび３端子レギュレータに対して並列接続し、その２つの抵抗の間の点と３端子レギュレータのレファレンス端子とを接続し、監視対象の２点間の電位差が所定値未満の時には、３端子レギュレータのカソード端子とアノード端子との間にかかる電圧が３端子レギュレータのレギュレーション電圧未満になって、フォトカプラのＬＥＤに電流が流れず、監視対象の２点間の電位差が前記所定値に到達した時には、３端子レギュレータのカソード端子とアノード端子との間にかかる電圧が３端子レギュレータのレギュレーション電圧に到達し、フォトカプラのＬＥＤに電流が流れるように、３端子レギュレータのレギュレーション電圧を設定したことを特徴とする電圧監視回路が提供される。
【００２１】
請求項２に記載の発明によれば、定電流ダイオードのカソード端子が高電位側に接続され、定電流ダイオードのアノード端子が低電位側に接続されるように、電位差の監視対象の２点のうちの一方の点と他方の点とを結ぶライン上に定電流ダイオードとフォトカプラのＬＥＤと３端子レギュレータとを直列接続して配置したことを特徴とする請求項１に記載の電圧監視回路が提供される。
【００２２】
請求項３に記載の発明によれば、電位差の監視対象の２点と、フォトカプラのＬＥＤおよび３端子レギュレータとの間に整流回路を配置したことを特徴とする請求項１又は２に記載の電圧監視回路が提供される。
【００２３】
請求項４に記載の発明によれば、ＩＧＢＴのコレクタ電圧またはゲート電圧を監視するために請求項１〜３のいずれか一項に記載された電圧監視回路が適用されたゲートドライバー回路が提供される。
【００２４】
請求項５に記載の発明によれば、負荷にかかる電圧を監視するために請求項１〜３のいずれか一項に記載された電圧監視回路が適用されたスイッチング電源回路が提供される。
【発明の効果】
【００２５】
請求項１に記載の電圧監視回路では、３端子レギュレータのカソード端子が高電位側に接続され、３端子レギュレータのアノード端子が低電位側に接続されるように、電位差の監視対象の２点のうちの一方の点と他方の点とを結ぶライン上にフォトカプラのＬＥＤと３端子レギュレータとが直列接続して配置され、直列接続された２つの抵抗がフォトカプラのＬＥＤおよび３端子レギュレータに対して並列接続され、その２つの抵抗の間の点と３端子レギュレータのレファレンス端子とが接続されている。
【００２６】
更に、請求項１に記載の電圧監視回路では、監視対象の２点間の電位差が所定値未満の時には、３端子レギュレータのカソード端子とアノード端子との間にかかる電圧が３端子レギュレータのレギュレーション電圧未満になって、フォトカプラのＬＥＤに電流が流れず、監視対象の２点間の電位差が前記所定値に到達した時には、３端子レギュレータのカソード端子とアノード端子との間にかかる電圧が３端子レギュレータのレギュレーション電圧に到達し、フォトカプラのＬＥＤに電流が流れるように、３端子レギュレータのレギュレーション電圧が設定されている。
【００２７】
つまり、請求項１に記載の電圧監視回路では、フォトカプラと３端子レギュレータと２つの抵抗とが設けられているものの、比較器も比較器用レファレンス電源も設けられていない。そのため、請求項１に記載の電圧監視回路によれば、比較器用レファレンス電源を設ける必要なく、監視対象の電圧を用いることにより、２点間の電位差を監視することができる。
【００２８】
また、請求項１に記載の電圧監視回路では、電位差の監視対象の２点のうちの一方の点と他方の点とを結ぶライン上にフォトカプラのＬＥＤとゼナーダイオードとが直列接続して配置されるのではなく、代わりに、電位差の監視対象の２点のうちの一方の点と他方の点とを結ぶライン上にフォトカプラのＬＥＤと３端子レギュレータとが直列接続して配置されている。
【００２９】
その上、請求項１に記載の電圧監視回路では、直列接続された２つの抵抗がフォトカプラのＬＥＤおよび３端子レギュレータに対して並列接続され、その２つの抵抗の間の点と３端子レギュレータのレファレンス端子とが接続されている。
【００３０】
そのため、請求項１に記載の電圧監視回路によれば、フォトカプラのＬＥＤとゼナーダイオードとが直列接続して配置される場合よりも、温度変化に伴ってフォトカプラのＬＥＤに電流が流れ始める時の監視対象の２点間の電位差が変動してしまうのを抑制することができる。換言すれば、請求項１に記載の電圧監視回路によれば、フォトカプラのＬＥＤとゼナーダイオードとが直列接続して配置される場合よりも、温度変化の影響を受けることなく安定して２点間の電位差を監視することができる。
【００３１】
つまり、請求項１に記載の電圧監視回路によれば、簡単な構成により２点間の電位差を安定して監視することができる。
【００３２】
詳細には、請求項１に記載の電圧監視回路によれば、監視対象の電圧以外に別個の電圧を設ける必要なく、３端子レギュレータの代わりにゼナーダイオードが用いられる場合よりも安定して２点間の電位差を監視することができる。
【００３３】
請求項２に記載の電圧監視回路では、定電流ダイオードのカソード端子が高電位側に接続され、定電流ダイオードのアノード端子が低電位側に接続されるように、電位差の監視対象の２点のうちの一方の点と他方の点とを結ぶライン上に定電流ダイオードとフォトカプラのＬＥＤと３端子レギュレータとが直列接続して配置されている。
【００３４】
そのため、請求項２に記載の電圧監視回路によれば、定電流ダイオードが設けられていない場合よりも、３端子レギュレータのレギュレーション電圧を小さい値に設定することができる。
【００３５】
換言すれば、請求項２に記載の電圧監視回路によれば、レギュレーション電圧の小さい３端子レギュレータを用いつつ、大きい電圧を監視することができる。
【００３６】
請求項３に記載の電圧監視回路では、電位差の監視対象の２点と、フォトカプラのＬＥＤおよび３端子レギュレータとの間に整流回路が配置されている。そのため、監視対象の電圧が交流電圧である場合にも、２点間の電位差を安定して監視することができる。
【００３７】
請求項４に記載のゲートドライバー回路によれば、簡単な構成によりＩＧＢＴのコレクタ電圧またはゲート電圧を安定して監視することができる。
【００３８】
請求項５に記載のスイッチング電源回路によれば、簡単な構成により負荷にかかる電圧を安定して監視することができる。
【発明を実施するための最良の形態】
【００３９】
本発明の電圧監視回路を説明する前に、比較例の電圧監視回路について説明する。図１は比較例の電圧監視回路Ａ’を示した図である。図１に示すように、比較例の電圧監視回路Ａ’では、ゼナーダイオードＺＤのカソード端子Ｋが高電位側に接続され、ゼナーダイオードＺＤのアノード端子Ａが低電位側に接続されるように、電位差の監視対象のＶＤＣａ点とＶＤＣｂ点とを結ぶライン上にフォトカプラＰＣのＬＥＤとゼナーダイオードＺＤとが直列接続して配置されている。
【００４０】
詳細には、比較例の電圧監視回路Ａ’では、監視対象のＶＤＣａ点とＶＤＣｂ点との間の電位差が閾値ＶＤＣＴＨ未満の時には、ゼナーダイオードＺＤのカソード端子Ｋとアノード端子Ａとの間にかかる電圧がゼナーダイオードＺＤの逆耐圧未満になって、フォトカプラＰＣのＬＥＤに電流が流れず、監視対象のＶＤＣａ点とＶＤＣｂ点との間の電位差が閾値ＶＤＣＴＨに到達した時には、ゼナーダイオードＺＤのカソード端子Ｋとアノード端子Ａとの間にかかる電圧がゼナーダイオードＺＤの逆耐圧に到達し、フォトカプラＰＣのＬＥＤに電流が流れるように、ゼナーダイオードＺＤの逆耐圧が設定されている。
【００４１】
つまり、比較例の電圧監視回路Ａ’では、フォトカプラＰＣとゼナーダイオードＺＤとが設けられているものの、比較器も比較器用レファレンス電源も設けられていない。そのため、比較例の電圧監視回路Ａ’によれば、比較器用レファレンス電源を設ける必要なく、監視対象の電圧ＶＤＣを用いることにより、ＶＤＣａ点とＶＤＣｂ点との間の電位差を監視することができる。
【００４２】
ところが、比較例の電圧監視回路Ａ’では、比較例の電圧監視回路Ａ’の使用環境の変化に伴ってゼナーダイオードＺＤの温度が変化すると、ゼナーダイオードＺＤの逆耐圧が変動してしまい、その結果、フォトカプラＰＣのＬＥＤに電流が流れ始める時における監視対象のＶＤＣａ点とＶＤＣｂ点との間の電位差が変動してしまうことが、発明者らの研究により確認された。つまり、比較例の電圧監視回路Ａ’では、ゼナーダイオードＺＤの温度が変化すると、ＶＤＣａ点とＶＤＣｂ点との間の電位差の変動を正確に監視できなくなることが確認された。
【００４３】
そこで、本発明の電圧監視回路では、上述した比較例の電圧監視回路Ａ’の問題点を解消するための改良が盛り込まれている。
【００４４】
図２は本発明の電圧監視回路Ａを示した図である。図２に示すように、本発明の電圧監視回路Ａでは、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００４５】
また、本発明の電圧監視回路Ａでは、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００４６】
そのため、本発明の電圧監視回路Ａによれば、図１に示した比較例の電圧監視回路Ａ’と同様に、比較器用レファレンス電源を設ける必要なく、監視対象の電圧ＶＤＣを用いることにより、ＶＤＣａ点とＶＤＣｂ点との間の電位差を監視することができる。
【００４７】
更に、図２に示すように、本発明の電圧監視回路Ａでは、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００４８】
そのため、本発明の電圧監視回路Ａによれば、図１に示した比較例の電圧監視回路Ａ’のようにフォトカプラＰＣのＬＥＤとゼナーダイオードＺＤとが直列接続して配置される場合よりも、フォトカプラＰＣのＬＥＤに電流が流れ始める時における監視対象のＶＤＣａ点とＶＤＣｂ点との間の電位差が温度変化に伴って変動してしまうのを抑制することができる。換言すれば、本発明の電圧監視回路Ａによれば、図１に示した比較例の電圧監視回路Ａ’のようにフォトカプラＰＣのＬＥＤとゼナーダイオードＺＤとが直列接続して配置される場合よりも、温度変化の影響を受けることなく安定してＶＤＣａ点とＶＤＣｂ点との間の電位差を監視することができる。
【００４９】
具体的には、３端子レギュレータＩＣとして、そのレファレンス端子ＲＥＦの電圧がＶｒｅｆ（Ｖ）に設定されたものを用い、抵抗Ｒ１として、その抵抗値がｒ１（Ω）に設定されたものを用い、抵抗Ｒ２として、その抵抗値がｒ２（Ω）に設定されたものを用いる場合には、Ｐ１点とＰ３点との間にかかる電圧Ｖｐが（（ｒ１＋ｒ２）／ｒ２）×Ｖｒｅｆ（Ｖ）未満の時に３端子レギュレータＩＣのカソード端子Ｋからアノード端子Ａに電流が流れず、Ｐ１点とＰ３点との間にかかる電圧Ｖｐが（（ｒ１＋ｒ２）／ｒ２）×Ｖｒｅｆ（Ｖ）に到達した時に３端子レギュレータＩＣのカソード端子Ｋからアノード端子Ａに電流が流れ始める。
【００５０】
以下、本発明の電圧監視回路の第１の実施形態について説明する。図３は第１の実施形態の電圧監視回路Ａ１を示した図である。図３に示すように、第１の実施形態の電圧監視回路Ａ１では、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００５１】
また、第１の実施形態の電圧監視回路Ａ１では、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００５２】
そのため、第１の実施形態の電圧監視回路Ａ１によれば、比較器用レファレンス電源を設ける必要なく、監視対象の電圧ＶＤＣを用いることにより、ＶＤＣａ点とＶＤＣｂ点との間の電位差を監視することができる。
【００５３】
詳細には、第１の実施形態の電圧監視回路Ａ１によれば、フォトカプラＰＣのＬＥＤに電流が流れず、フォトカプラＰＣがＯＦＦ状態の時には、監視対象のＶＤＣａ点とＶＤＣｂ点との間の電位差が閾値ＶＤＣＴＨ未満であると判断することができる。一方、フォトカプラＰＣのＬＥＤに電流が流れ、フォトカプラＰＣがＯＮ状態の時には、監視対象のＶＤＣａ点とＶＤＣｂ点との間の電位差が閾値ＶＤＣＴＨに到達していると判断することができる。
【００５４】
更に、図３に示すように、第１の実施形態の電圧監視回路Ａ１では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００５５】
そのため、第１の実施形態の電圧監視回路Ａ１によれば、温度変化の影響を受けることなく安定してＶＤＣａ点とＶＤＣｂ点との間の電位差を監視することができる。
【００５６】
また、図３に示すように、第１の実施形態の電圧監視回路Ａ１では、定電流ダイオードＣＲＤのカソード端子Ｋが高電位側に接続され、定電流ダイオードＣＲＤのアノード端子Ａが低電位側に接続されるように、ＶＤＣａ点とＰ１点との間に配置されている。詳細には、電位差の監視対象のＶＤＣａ点とＶＤＣｂ点とを結ぶライン上に定電流ダイオードＣＲＤとフォトカプラＰＣのＬＥＤと３端子レギュレータＩＣとが直列接続して配置されている。
【００５７】
そのため、第１の実施形態の電圧監視回路Ａ１によれば、定電流ダイオードＣＲＤが設けられていない場合よりも、３端子レギュレータＩＣのレギュレーション電圧を小さい値に設定することができる。換言すれば、第１の実施形態の電圧監視回路Ａ１によれば、レギュレーション電圧の小さい３端子レギュレータＩＣを用いつつ、大きい電圧ＶＤＣを監視することができる。
【００５８】
以下、本発明の電圧監視回路の第２の実施形態について説明する。図４は第２の実施形態の電圧監視回路Ａ２を示した図である。図４に示すように、第２の実施形態の電圧監視回路Ａ２では、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００５９】
また、第２の実施形態の電圧監視回路Ａ２では、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００６０】
そのため、第２の実施形態の電圧監視回路Ａ１によれば、比較器用レファレンス電源を設ける必要なく、監視対象の電圧ＶＤＣを用いることにより、ＶＤＣａ点とＶＤＣｂ点との間の電位差を監視することができる。
【００６１】
詳細には、第２の実施形態の電圧監視回路Ａ２によれば、フォトカプラＰＣのＬＥＤに電流が流れず、フォトカプラＰＣがＯＦＦ状態の時には、監視対象のＶＤＣａ点とＶＤＣｂ点との間の電位差が閾値ＶＤＣＴＨ未満であると判断することができる。一方、フォトカプラＰＣのＬＥＤに電流が流れ、フォトカプラＰＣがＯＮ状態の時には、監視対象のＶＤＣａ点とＶＤＣｂ点との間の電位差が閾値ＶＤＣＴＨに到達していると判断することができる。
【００６２】
更に、図４に示すように、第２の実施形態の電圧監視回路Ａ２では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００６３】
そのため、第２の実施形態の電圧監視回路Ａ２によれば、温度変化の影響を受けることなく安定してＶＤＣａ点とＶＤＣｂ点との間の電位差を監視することができる。
【００６４】
更に、第２の実施形態の電圧監視回路Ａ２では、ＶＤＣａ点とＰ１点との間にトランジスタＱ５が配置されている。また、直列接続されたトランジスタＱ４，Ｑ１，Ｑ２，Ｑ３が、直列接続されたＱ５および抵抗Ｒ１，Ｒ２に対して並列接続され、トランジスタＱ４のベース端子とトランジスタＱ５のベース端子とが接続されている。更に、直列接続された抵抗Ｒｃ，Ｒｅが、直列接続されたトランジスタＱ４，Ｑ１，Ｑ２，Ｑ３に対して並列接続され、抵抗Ｒｃと抵抗Ｒｅとの間のＰ８点と、トランジスタＱ１のベース端子とが接続されている。
【００６５】
以下、本発明の電圧監視回路の第３の実施形態について説明する。図５は第３の実施形態の電圧監視回路Ａ３を示した図である。図５に示すように、第３の実施形態の電圧監視回路Ａ３では、３端子レギュレータＩＣのカソード端子Ｋが高電位側に接続され、３端子レギュレータＩＣのアノード端子Ａが低電位側に接続されるように、電位差の監視対象のＶＡＣａ点とＶＡＣｂ点とを結ぶライン上にフォトカプラＰＣのＬＥＤと３端子レギュレータＩＣとが直列接続して配置されている。
【００６６】
また、第３の実施形態の電圧監視回路Ａ３では、監視対象のＶＡＣａ点とＶＡＣｂ点との間の電位差が閾値ＶＡＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＡＣａ点とＶＡＣｂ点との間の電位差が閾値ＶＡＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００６７】
そのため、第３の実施形態の電圧監視回路Ａ３によれば、比較器用レファレンス電源を設ける必要なく、監視対象の電圧ＶＡＣを用いることにより、ＶＡＣａ点とＶＡＣｂ点との間の電位差を監視することができる。
【００６８】
詳細には、第３の実施形態の電圧監視回路Ａ３によれば、フォトカプラＰＣのＬＥＤに電流が流れず、フォトカプラＰＣがＯＦＦ状態の時には、監視対象のＶＡＣａ点とＶＡＣｂ点との間の電位差が閾値ＶＡＣＴＨ未満であると判断することができる。一方、フォトカプラＰＣのＬＥＤに電流が流れ、フォトカプラＰＣがＯＮ状態の時には、監視対象のＶＡＣａ点とＶＡＣｂ点との間の電位差が閾値ＶＡＣＴＨに到達していると判断することができる。
【００６９】
更に、図５に示すように、第３の実施形態の電圧監視回路Ａ３では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００７０】
そのため、第３の実施形態の電圧監視回路Ａ３によれば、温度変化の影響を受けることなく安定してＶＡＣａ点とＶＡＣｂ点との間の電位差を監視することができる。
【００７１】
また、図５に示すように、第３の実施形態の電圧監視回路Ａ３では、定電流ダイオードＣＲＤのカソード端子Ｋが高電位側に接続され、定電流ダイオードＣＲＤのアノード端子Ａが低電位側に接続されるように、ＶＡＣａ点とＰ１点との間に配置されている。詳細には、電位差の監視対象のＶＡＣａ点とＶＡＣｂ点とを結ぶライン上に定電流ダイオードＣＲＤとフォトカプラＰＣのＬＥＤと３端子レギュレータＩＣとが直列接続して配置されている。
【００７２】
そのため、第３の実施形態の電圧監視回路Ａ３によれば、定電流ダイオードＣＲＤが設けられていない場合よりも、３端子レギュレータＩＣのレギュレーション電圧を小さい値に設定することができる。換言すれば、第３の実施形態の電圧監視回路Ａ３によれば、レギュレーション電圧の小さい３端子レギュレータＩＣを用いつつ、大きい電圧ＶＡＣを監視することができる。
【００７３】
更に、図５に示すように、第３の実施形態の電圧監視回路Ａ３では、電位差の監視対象のＶＡＣａ点およびＶＡＣｂ点と、フォトカプラＰＣのＬＥＤおよび３端子レギュレータＩＣとの間に、ダイオードＤＡ，ＤＢ，ＤＣ，ＤＤからなる整流回路が配置されている。そのため、監視対象の電圧ＶＡＣが直流電圧である場合のみならず、交流電圧である場合にも、ＶＡＣａ点とＶＡＣｂ点との間の電位差を安定して監視することができる。
【００７４】
以下、本発明の電圧監視回路がＩＧＢＴのコレクタ電圧を監視するために適用された第４の実施形態について説明する。第４の実施形態では、本発明の電圧監視回路が、ＩＧＢＴのコレクタ電圧を監視するためにゲートドライバ回路に適用されている。
【００７５】
図６は本発明の電圧監視回路Ａが適用されたゲートドライバ回路の一部を示した図である。図６に示すように、第４の実施形態では、本発明の電圧監視回路ＡのＶＤＣａ点がＩＧＢＴのコレクタ端子に接続され、本発明の電圧監視回路ＡのＶＤＣｂ点が例えば接地されている。
【００７６】
図６に示すように、第４の実施形態では、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００７７】
また、第４の実施形態では、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００７８】
そのため、第４の実施形態では、比較器用レファレンス電源を設ける必要なく、監視対象の電圧ＶＣＣを用いることにより、ＶＤＣａ点とＶＤＣｂ点との間の電位差を監視することができる。
【００７９】
詳細には、第４の実施形態では、フォトカプラＰＣのＬＥＤに電流が流れず、フォトカプラＰＣがＯＦＦ状態の時には、監視対象のＶＤＣａ点とＶＤＣｂ点との間の電位差が閾値ＶＤＣＴＨ未満であり、ＩＧＢＴのコレクタ端子に高い電圧がかかっていないと判断することができる。一方、フォトカプラＰＣのＬＥＤに電流が流れ、フォトカプラＰＣがＯＮ状態の時には、監視対象のＶＤＣａ点とＶＤＣｂ点との間の電位差が閾値ＶＤＣＴＨに到達しており、ＩＧＢＴのコレクタ端子に高い電圧がかかっていると判断することができる。
【００８０】
具体的には、第４の実施形態では、例えば、ＩＧＢＴのゲート端子に駆動信号が入力され、ＩＧＢＴのコレクタ電圧、つまり、監視対象のＶＤＣａの電位が低くなっている時に、フォトカプラＰＣのＬＥＤに電流が流れず、ＩＧＢＴのゲート端子に駆動信号が入力されず、ＩＧＢＴのコレクタ電圧、つまり、監視対象のＶＤＣａ点の電位が高くなっている時に、フォトカプラＰＣのＬＥＤに電流が流れるように、３端子レギュレータＩＣのレギュレーション電圧が設定されている。
【００８１】
そのため、第４の実施形態では、ＩＧＢＴのコレクタ電圧の監視中、ＩＧＢＴのゲート端子に駆動信号が入力されているにもかかわらず、フォトカプラＰＣのＬＥＤに電流が流れ、フォトカプラＰＣがＯＮ状態になっている場合には、ＩＧＢＴのコレクタ端子とエミッタ端子とがオープンになり、ＩＧＢＴがＯＮ状態にならない異常が発生したと判断することができる。
【００８２】
また、第４の実施形態では、ＩＧＢＴのコレクタ電圧の監視中、ＩＧＢＴのゲート端子に駆動信号が入力されていないにもかかわらず、フォトカプラＰＣのＬＥＤに電流が流れず、フォトカプラＰＣがＯＦＦ状態になっている場合には、ＩＧＢＴのコレクタ端子とエミッタ端子とが短絡し、ＩＧＢＴがＯＦＦ状態にならない異常が発生したと判断することができる。
【００８３】
更に、図６に示すように、第４の実施形態では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００８４】
そのため、第４の実施形態では、温度変化の影響を受けることなく安定してＶＤＣａ点とＶＤＣｂ点との間の電位差を監視することができる。
【００８５】
以下、本発明の電圧監視回路がＩＧＢＴのゲート電圧を監視するために適用された第５の実施形態について説明する。第５の実施形態では、本発明の電圧監視回路が、ＩＧＢＴのゲート電圧を監視するためにゲートドライバ回路に適用されている。
【００８６】
図７は本発明の電圧監視回路Ａが適用されたゲートドライバ回路の一部を示した図である。図７に示すように、第５の実施形態では、本発明の電圧監視回路ＡのＶＤＣａ点がＩＧＢＴのゲート端子に接続され、本発明の電圧監視回路ＡのＶＤＣｂ点が例えば接地されている。
【００８７】
図７に示すように、第５の実施形態では、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００８８】
また、第５の実施形態では、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００８９】
そのため、第５の実施形態では、比較器用レファレンス電源を設ける必要なく、監視対象の電圧ＶＣＣを用いることにより、ＶＤＣａ点とＶＤＣｂ点との間の電位差を監視することができる。
【００９０】
詳細には、第５の実施形態では、フォトカプラＰＣのＬＥＤに電流が流れず、フォトカプラＰＣがＯＦＦ状態の時には、監視対象のＶＤＣａ点とＶＤＣｂ点との間の電位差が閾値ＶＤＣＴＨ未満であり、ＩＧＢＴのゲート端子に高い電圧がかかっていないと判断することができる。一方、フォトカプラＰＣのＬＥＤに電流が流れ、フォトカプラＰＣがＯＮ状態の時には、監視対象のＶＤＣａ点とＶＤＣｂ点との間の電位差が閾値ＶＤＣＴＨに到達しており、ＩＧＢＴのゲート端子に高い電圧がかかっていると判断することができる。
【００９１】
更に、図７に示すように、第５の実施形態では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【００９２】
そのため、第５の実施形態では、温度変化の影響を受けることなく安定してＶＤＣａ点とＶＤＣｂ点との間の電位差を監視することができる。
【００９３】
図示しないが、第６の実施形態では、図６に示した第４の実施形態と、図７に示した第５の実施形態とが組み合わされている。具体的には、ＩＧＢＴのコレクタ電圧およびゲート電圧を監視するために、本発明の電圧監視回路Ａが２個、ゲートドライバ回路に適用されている。
【００９４】
以下、本発明の電圧監視回路が負荷にかかる電圧を監視するために適用された第７の実施形態について説明する。第７の実施形態では、本発明の電圧監視回路が、負荷にかかる電圧を監視するためにスイッチング電源回路に適用されている。
【００９５】
図８は本発明の電圧監視回路Ａ７が適用されたスイッチング電源回路を示した図である。図８に示すように、第７の実施形態では、本発明の電圧監視回路Ａ７のＶＤＣａ点とＶＤＣｂ点とが負荷の両端に接続されている。
【００９６】
図８に示すように、第７の実施形態の電圧監視回路Ａ７では、３端子レギュレータＩＣのカソード端子Ｋが高電位側に接続され、３端子レギュレータＩＣのアノード端子Ａが低電位側に接続されるように、電位差の監視対象のＶＤＣａ点とＶＤＣｂ点とを結ぶライン上にフォトカプラＰＣのＬＥＤと３端子レギュレータＩＣとが直列接続して配置されている。
【００９７】
また、第７の実施形態の電圧監視回路Ａ７では、監視対象のＶＤＣａ点とＶＤＣｂ点との間の電位差が閾値ＶＤＣＴＨ未満の時には、３端子レギュレータＩＣのカソード端子Ｋとアノード端子Ａとの間にかかる電圧が３端子レギュレータＩＣのレギュレーション電圧未満になって、フォトカプラＰＣのＬＥＤに電流が流れず、監視対象のＶＤＣａ点とＶＤＣｂ点との間の電位差が閾値ＶＤＣＴＨに到達した時には、３端子レギュレータＩＣのカソード端子Ｋとアノード端子Ａとの間にかかる電圧が３端子レギュレータＩＣのレギュレーション電圧に到達し、フォトカプラＰＣのＬＥＤに電流が流れるように、３端子レギュレータＩＣのレギュレーション電圧が設定されている。
【００９８】
そのため、第７の実施形態の電圧監視回路Ａ７によれば、比較器用レファレンス電源を設ける必要なく、監視対象の電圧である負荷の両端にかかる電圧を用いることにより、ＶＤＣａ点とＶＤＣｂ点との間の電位差、つまり、負荷にかかる電圧を監視することができる。
【００９９】
詳細には、第７の実施形態の電圧監視回路Ａ７によれば、フォトカプラＰＣのＬＥＤに電流が流れず、フォトカプラＰＣがＯＦＦ状態の時には、監視対象のＶＤＣａ点とＶＤＣｂ点との間の電位差が閾値ＶＤＣＴＨ未満であると判断することができる。一方、フォトカプラＰＣのＬＥＤに電流が流れ、フォトカプラＰＣがＯＮ状態の時には、監視対象のＶＤＣａ点とＶＤＣｂ点との間の電位差が閾値ＶＤＣＴＨに到達していると判断することができる。
【０１００】
更に、図８に示すように、第７の実施形態の電圧監視回路Ａ７では、直列接続された２つの抵抗Ｒ１，Ｒ２が、フォトカプラＰＣのＬＥＤおよび３端子レギュレータＩＣに対して並列接続され、抵抗Ｒ１と抵抗Ｒ２との間のＰ２点と、３端子レギュレータＩＣのレファレンス端子ＲＥＦとが接続されている。
【０１０１】
そのため、第７の実施形態の電圧監視回路Ａ７によれば、温度変化の影響を受けることなく安定してＶＤＣａ点とＶＤＣｂ点との間の電位差を監視することができる。
【０１０２】
また、図８に示すように、第１の実施形態の電圧監視回路Ａ７では、ＶＤＣａ点とＰ１点との間に容量の大きい抵抗Ｒｉｎが配置されている。詳細には、電位差の監視対象のＶＤＣａ点とＶＤＣｂ点とを結ぶライン上に抵抗ＲｉｎとフォトカプラＰＣのＬＥＤと３端子レギュレータＩＣとが直列接続して配置されている。
【０１０３】
そのため、第７の実施形態の電圧監視回路Ａ７によれば、容量の大きい抵抗Ｒｉｎが設けられていない場合よりも、３端子レギュレータＩＣのレギュレーション電圧を小さい値に設定することができる。換言すれば、第７の実施形態の電圧監視回路Ａ７によれば、レギュレーション電圧の小さい３端子レギュレータＩＣを用いつつ、負荷の両端にかかる大きい電圧を監視することができる。
【０１０４】
詳細には、第７の実施形態では、図８に示すように、電圧監視回路Ａ７のフォトカプラＰＣの受光素子としてのトランジスタＱの出力（コレクタ信号およびエミッタ信号）が、電源トランスの１次側のトランジスタＱ１１の制御回路にフィードバックされている。
【０１０５】
更に詳細には、第７の実施形態では、例えば１５０Ｖ／６０ＡのＤＣ電源が電源トランスの１次側に入力され、これがトランジスタＱ１１によってスイッチングされる。そのスイッチングされた電圧は、トランス（例えば、ｎ比＝５．３）を介して交流となり、これが２次側のダイオードＤ１，Ｄ２を介してコイルＬに送られ、コンデンサＣを介して平滑化され、例えば（８００Ｖ／１０Ａ）８ｋＷ型のＤＣ出力が負荷に供給される。
【０１０６】
第７の実施形態では、負荷にかかる８００Ｖのうちの７８０Ｖが、電圧監視回路Ａ７の抵抗Ｒｉｎの両端にかかるように、抵抗Ｒｉｎの容量（８０ｋΩ）が設定されている。
【図面の簡単な説明】
【０１０７】
【図１】比較例の電圧監視回路Ａ’を示した図である。
【図２】本発明の電圧監視回路Ａを示した図である。
【図３】第１の実施形態の電圧監視回路Ａ１を示した図である。
【図４】第２の実施形態の電圧監視回路Ａ２を示した図である。
【図５】第３の実施形態の電圧監視回路Ａ３を示した図である。
【図６】本発明の電圧監視回路Ａが適用されたゲートドライバ回路の一部を示した図である。
【図７】本発明の電圧監視回路Ａが適用されたゲートドライバ回路の一部を示した図である。
【図８】本発明の電圧監視回路Ａ７が適用されたスイッチング電源回路を示した図である。
【図９】特開平７−４６８３５号公報の図３に相当する図である。
【図１０】特開平７−４６８３５号公報の図１に相当する図である。
【図１１】特開平９−２３３８１０号公報の図４に相当する図である。
【図１２】特開平９−２３３８１０号公報の図１に相当する図である。
【図１３】特開２００５−６４６４号公報の図１に相当する図である。
【符号の説明】
【０１０８】
Ａ          電圧監視回路
ＩＣ        ３端子レギュレータ
ＰＣ        フォトカプラ
Ｑ          トランジスタ
Ｒ１，Ｒ２  抵抗
【図１】
2007170881.tif 000003
【図２】
2007170881.tif 000004
【図３】
2007170881.tif 000005
【図４】
2007170881.tif 000006
【図５】
2007170881.tif 000007
【図６】
2007170881.tif 000008
【図７】
2007170881.tif 000009
【図８】
2007170881.tif 000010
【図９】
2007170881.tif 000011
【図１０】
2007170881.tif 000012
【図１１】
2007170881.tif 000013
【図１２】
2007170881.tif 000014
【図１３】
2007170881.tif 000015